(57)【特許請求の範囲】
【請求項１】
カラー画像データに基づいて、色空間上における所定の色再現範囲で、多色インクを用いてカラー画像を印刷するための処理を行う印刷処理装置において、
前記色再現範囲を拡張する特定色域を設定する設定手段と、
前記設定手段により設定した前記特定色域以外の色域の前記カラー画像データを、所定の基準値を単位面積当たりの最大吐出量とする多色インクのインク量のデータに変換すると共に、前記設定手段により設定した前記特定色域の前記カラー画像データを、前記基準値よりも高い上限値を単位面積当たりの最大吐出量とする多色インクのインク量のデータに変換する変換手段と、
前記カラー画像の画質と印刷速度とのいずれを優先するかを指定する指定手段とを備えており、
前記指定手段により前記画質の優先が指定されているときにのみ前記変換手段は、色空間上における前記特定色域のカラー画像データを、前記上限値を単位面積当たりの最大吐出量とする多色インクのインク量のデータに変換する、
ことを特徴とする印刷処理装置。
【請求項２】
前記変換手段は、肌色領域を含む所定の色域の前記カラー画像データを除いて、前記特定色域の前記カラー画像データを、前記基準値よりも高い上限値を単位面積当たりの最大吐出量とする多色インクのインク量のデータに変換することを特徴とする請求項１記載の印刷処理装置。
【請求項３】
前記上限値を、前記カラー画像の印刷時における印刷走査数、解像度、及び、ドットゲインのうち少なくとも１つに基づいて補正する上限値補正手段をさらに備えていることを特徴とする請求項１又は２記載の印刷処理装置。
【請求項４】
色空間上における前記特定色域の色相に基づいて、該特定色域に属する色の多色インクの前記上限値を各色のインク別にそれぞれ決定する上限値決定手段をさらに備えていることを特徴とする請求項１、２又は３記載の印刷処理装置。
【請求項５】
前記変換手段は、
入力プロファイルに基づいて前記カラー画像データを色空間のデータに変換する入力側変換手段と、
出力プロファイルに基づいて色空間の前記データをＣＭＹＫデータに変換する出力側変換手段と、
ルックアップテーブルに基づいて前記ＣＭＹＫデータを対応する各色の前記多色インクのインク量にそれぞれ変換するインク量変換手段と、
を有しており、
前記インク量変換手段は、
単位面積当たりのインクの最大吐出量別に種類が異なる複数の前記ルックアップテーブルから、前記出力側変換手段が前記ＣＭＹＫデータに変換した色空間のデータが前記特定色域の色相のデータであるか否かに応じて選択した種類のルックアップテーブルを選択し、選択したルックアップテーブルを用いて前記ＣＭＹＫデータを対応する各色の前記多色インクのインク量にそれぞれ変換する、
ことを特徴とする請求項１、２、３又は４記載の印刷処理装置。
【発明の詳細な説明】
【技術分野】
【０００１】
本発明は、カラー画像データに基づいてカラー画像を印刷する方法とそのための処理を行う装置とに関する。
【背景技術】
【０００２】
カラー画像を印刷する際には、カラー画像のＲ（レッド）、Ｇ（グリーン）、Ｂ（ブルー）のデータを、印刷用のＣ（シアン）、Ｍ（マゼンタ）、Ｙ（イエロー）、Ｋ（ブラック）のデータに変換する。その際、ＲＧＢデータの色再現範囲よりもＣＭＹＫデータの色再現範囲が相対的に狭いことから、印刷したカラー画像の色味が、データ上でユーザがイメージしたカラー画像の通りにならないことがある。
【０００３】
データ上の色味に近いカラー画像を印刷するには、ＣＭＹＫデータの色再現範囲ができるだけ広いことが望ましい。色再現範囲の拡張を図った関連技術としては、例えば、複数種類の記録剤（インク）を重ねてカラー画像の印刷を行う際に、各記録剤の重ね印刷の順序を、各記録剤の光散乱特性の強弱にしたがって変更するものがある（例えば、特許文献１）。
【先行技術文献】
【特許文献】
【０００４】
【特許文献１】特開２００９−２２０４５１号公報
【発明の概要】
【発明が解決しようとする課題】
【０００５】
ＣＭＹＫの各インクどうしの光散乱特性の強弱は、インクの原料に多少の差があっても大幅に変わることはない。したがって、インクの重ね印刷の順序を入れ替えることによる色再現範囲の拡張には自ずと限界があり、また、拡張できる色再現範囲の色相にも制約がある。
【０００６】
本発明は前記事情に鑑みなされたものであり、本発明の目的は、カラー画像データに基づいてカラー画像を印刷する際の色再現範囲を、任意の色相について拡張させることができる印刷方法と、この印刷方法を実施する際に用いて好適な印刷処理装置とを提供することにある。
【課題を解決するための手段】
【０００７】
上記目的を達成する本発明は、以下の事項をベースとしている。即ち、
カラー画像データ（例えば、図１のＲＧＢドットイメージ入力部１１０に入力されるＲＧＢ形式のドットイメージデータ）に基づいて、色空間上における所定の色再現範囲（例えば、図１０（ａ）の下半部に示す色再現範囲）でカラー画像を印刷する際に、前記色再現範囲を拡張する特定色域（例えば、図１０（ａ）の上半部に示す扇形の色域）が設定されている場合は、前記カラー画像のうち前記特定色域の印刷に用いるインクの単位面積当たりの最大吐出量（例えば、図７（ｂ），（ｃ）のテーブルにおける最大ドロップ数）を、前記カラー画像のうち前記特定色域以外の色域の印刷に用いるインクの単位面積当たりの最大吐出量（例えば、図７（ａ）のテーブルにおける最大ドロップ数）よりも多くする。
【０００８】
そして、本発明は、
カラー画像データに基づいて、色空間上における所定の色再現範囲で、多色インクを用いてカラー画像を印刷するための処理を行う印刷処理装置において、
色再現範囲を拡張する特定色域を設定する設定手段（例えば、図１３のモード選択領域２４１ａ〜２４１ｃ及び図３の画像処理部２２３）と、
前記設定手段により設定した前記特定色域以外の色域の前記カラー画像データを、所定の基準値（例えば、図７（ａ）のデフォルトパターンテーブルにおける最大ドロップ数＝「５」）を単位面積当たりの最大吐出量とする多色インクのインク量のデータに変換すると共に、前記設定手段により設定した前記特定色域の前記カラー画像データを、前記基準値よりも高い上限値（例えば、図７（ｂ）、（ｃ）の拡張パターンテーブルにおける最大ドロップ数＝「６」，「７」）を単位面積当たりの最大吐出量とする多色インクのインク量のデータに変換する変換手段（例えば、図３の画像処理部２２３、図１６のステップＳ２０７）と、
を備えることを特徴とする。
【０００９】
上記発明によれば、色空間上における色再現範囲を拡張する特定色域が設定されている場合、カラー画像の印刷に用いるインクの単位面積当たりの最大吐出量が、特定色域ではそれ以外の色域よりも多くなる。したがって、特定色域においてはそれ以外の色域よりも、印刷したカラー画像における色再現範囲が拡張する。よって、特定色域を適切に設定することで、カラー画像を印刷する際の色再現範囲を任意の色相について拡張させることができる。
【００１０】
なお、上記発明において、前記変換手段が、肌色領域を含む所定の色域の前記カラー画像データを除いて、前記特定色域の前記カラー画像データを、前記基準値よりも高い上限値を単位面積当たりの最大吐出量とする多色インクのインク量のデータに変換することを特徴とする構成としてもよい。
【００１１】
上記発明によれば、肌色領域を含む所定の色域が特定色域に含まれる場合に、特定色域中の所定の色域のカラー画像データは、基準値を単位面積当たりの最大吐出量とする多色インクのインク量のデータに変換される。また、所定の色域を除く色域のカラー画像データについては、基準値よりも高い上限値を単位面積当たりの最大吐出量とする多色インクのインク量のデータに変換される。
【００１２】
したがって、特定色域の色再現範囲を拡張するためのインクの最大吐出量の増加に連動して、特定色域に含まれる、色再現範囲を拡張する必要のない肌色領域を含む色域のインクの最大吐出量まで増加されてしまうのを、防ぐことができる。よって、例えば赤の色域の色再現範囲を拡張したい場合に、自然色に再現されていた肌色の色味が連動して自然色とは異なる色にシフトしてしまうのを防ぐことができる。
【００１３】
また、上記発明において、前記上限値を、前記カラー画像の印刷時における印刷走査数、解像度、及び、ドットゲインのうち少なくとも１つに基づいて補正する上限値補正手段（例えば、図３の画像処理部２２３、図１６のステップＳ２０５）をさらに備えていることを特徴とする。
【００１４】
上記発明によれば、カラー画像の印刷時における印刷走査数や解像度、ドットゲインは、印刷に使用するインクの単位面積当たりの量に影響する。印刷に使用するインク量は、用紙におけるインクの滲み量や用紙の変形量、印刷面から裏面までインクが染みこむ裏抜けの度合い（例えば、図８の用紙変形量、裏抜け濃度）に影響を及ぼす。したがって、印刷走査数、解像度、及び、ドットゲインのうち少なくとも１つに基づいてインク量の上限値を適切に補正することで、用紙におけるインクの滲み量や用紙の変形量、インクの裏抜けの度合いを適切な範囲に収めつつ、特定色域の色再現範囲を拡張させることができる。
【００１５】
そして、本発明は、必須の要素として、前記カラー画像の画質と印刷速度とのいずれを優先するかを指定する指定手段（例えば、図１３の特定色域の指定領域２４１ｄ及び図３の画像処理部２２３）をさらに備えており、該指定手段により前記画質の優先が指定されているときにのみ前記変換手段は、色空間上における前記特定色域のカラー画像データを、前記上限値を単位面積当たりの最大吐出量とする多色インクのインク量のデータに変換することを特徴とする。
【００１６】
したがって、本発明によれば、カラー画像の印刷に用いるインクの最大吐出量を増やすと、特に、同一の画素（ドット）に吐出する液滴数を増減することで階調印刷を行うマルチドロップ方式のインクジェットプリンタ（例えば、図１の印刷装置２０の印刷機構２２０）では、カラー画像の印刷に要する時間が増加する。したがって、印刷速度を優先する場合は、指定手段により印刷速度の優先を指定することで、インクの最大吐出量の増加による印刷速度の低下を避けることができる。
【００１７】
また、上記発明において、色空間上における前記特定色域の色相に基づいて、該特定色域に属する色の多色インクの前記上限値を各色のインク別にそれぞれ決定する上限値決定手段（例えば、図３の画像処理部２２３、図１６のステップＳ２０３）をさらに備えていることを特徴とする。
【００１８】
上記発明によれば、特定色域が、吐出量を増やしてもその色（一次色）の色再現範囲があまり拡張しない色のインクに大きく依存する色相である場合は、その色のインクの最大吐出量の上限値を、通常よりも低い値に決定することができる。例えば、特定色域に属する色のインクにＹ（イエロー）のインクが含まれる場合、特定色域の色相がＹ（イエロー）かそれに近い色であれば、Ｙ（イエロー）のインクの最大吐出量を増やしても、特定色域の色再現範囲はそれほど大きく変わらない。それに比べて、特定色域の色相がＲ（レッド）やそれに近い色であると、Ｙ（イエロー）のインクの最大吐出量を増やすことで、特定色域の色再現範囲が大きく拡張する。したがって、特定色域の色相がＹ（イエロー）かそれに近い色の場合は、Ｙ（イエロー）のインクの最大吐出量の上限値を増やすものの、その値を通常よりも低い値とすることができる。このように、特定色域に属する色のインクの最大吐出量の上限値を、その色のインクの吐出量を増やすことで色再現範囲を拡張するのに適した個別の値に決定することができる。
【００１９】
また、上記発明において、
前記変換手段は、
入力プロファイル（例えば、図６（ａ）のルックアップテーブル１２２）に基づいて前記カラー画像データを色空間（例えば、Ｌ＊  ａ＊  ｂ＊  表色系）のデータに変換する入力側変換手段（例えば、図１の色変換装置１０の色変換処理部１２０、図１５のステップＳ１０１）と、
出力プロファイル（例えば、図６（ｂ）のルックアップテーブル１２２）に基づいて色空間の前記データをＣＭＹＫデータ（例えば、図１のＣＭＹＫドットイメージ出力部１４０が出力するＣＭＹＫ形式のドットイメージデータ）に変換する出力側変換手段（例えば、図１の色変換装置１０の色変換処理部１２０、図１５のステップＳ１０３）と、
ルックアップテーブル（例えば、図３のルックアップテーブル２２３ａ、図７（ａ）〜（ｃ）のデフォルトパターンテーブル及び拡張パターンテーブル）に基づいて前記ＣＭＹＫデータを対応する各色の前記多色インクのインク量にそれぞれ変換するインク量変換手段（例えば、図３の画像処理部２２３、図１６のステップＳ２０３〜Ｓ２０７）と、
を有しており、
前記インク量変換手段は、
単位面積当たりのインクの最大吐出量別に種類が異なる複数の前記ルックアップテーブルから、前記出力側変換手段が前記ＣＭＹＫデータに変換した色空間のデータが前記特定色域の色相のデータであるか否かに応じて選択した種類のルックアップテーブルを選択し、選択したルックアップテーブルを用いて前記ＣＭＹＫデータを対応する各色の前記多色インクのインク量にそれぞれ変換する、
ことを特徴とする。
【００２０】
上記発明によれば、ＣＭＹＫの各色毎に、色再現範囲を拡張する対象の特定色域の色相であるか否かによって、互いに異なる種類のルックアップテーブルを選択して、ＣＭＹＫデータから各色のインクのインク量への変換を行うことになる。したがって、選択するルックアップテーブルの種類を異ならせることで、プロファイルを単一としつつ複数パターンのデータ変換を行えるようにすることができる。
【００２１】
なお、上記各発明において、前記インクに油性インクを用いることもできる。油性インクは水性インクに比べてドットゲインが少なく、高解像度のカラー画像を印刷する際に有利である。また、水性インクに比べて用紙への染み込みが少ないので、インク量を増やしてカラー画像を印刷する場合の、用紙におけるインクの滲み量や用紙の変形量、印刷面から裏面までインクが染みこむ裏抜けの度合いの増大を、抑制することができる。
【００２２】
また、上記各発明による印刷処理装置（例えば、図４（ｂ）の色変換部８２０）と、該印刷処理装置の変換手段によりカラー画像データから変換した多色インクのインク量のデータに基づいて前記カラー画像の印刷用紙への印刷を行う画像形成装置（例えば、図４（ｂ）のインクジェット印刷機構８３０）とを備えており、該画像形成装置は、前記印刷用紙の搬送方向（例えば、図２の記録紙搬送（副走査）方向）と直交する主走査方向における１回の走査で、前記搬送方向における前記カラー画像の１行分のドット列を印刷することを特徴とするプリンタ（例えば、図４（ｂ）のインクジェットプリンタ８０）を、１つの発明として構成してもよい。
【００２３】
上記発明によれば、色再現範囲を拡張するためにインクの最大吐出量を増やしても、１行分のドット列の印刷が１回の主走査方向への走査で終わることに変わりはない。そのため、印刷速度の低下を極力抑制しつつ、色再現範囲の拡張を実現することができる。
【発明の効果】
【００２４】
本発明によれば、カラー画像データに基づいてカラー画像を印刷する際の色再現範囲を、任意の色相について拡張させることができる。
【図面の簡単な説明】
【００２５】
【図１】本発明による画像処理方法を適用した本発明による画像処理装置の一実施形態に係る色変換装置とこれに接続された印刷装置の機能構成を示すブロック図である。
【図２】図１の印刷装置の記録紙に対する印字（印刷）を行う部分の概略構成を示す平面図である。
【図３】図１の印刷装置の電気的な詳細構成を示すブロック図である。
【図４】（ａ），（ｂ）は図１の色変換装置や印刷装置を含むシステム構成の具体例を示すブロック図である。
【図５】本実施形態で扱う色空間の概要について説明する図である。
【図６】図１の色変換処理部に設けたルックアップテーブルの内容を示す説明図である。
【図７】（ａ）〜（ｃ）は図３の画像処理部に設けたルックアップテーブルの内容を示す説明図である。
【図８】記録紙への画像の印刷に用いる単位面積当たりのインク量に対する記録紙の印刷面上における画像の濃度や用紙変形量の関係を示すグラフである。
【図９】（ａ）〜（ｃ）は図８のカール量で表される用紙変形の概念と油性水性のインク別の用紙変形の様子とを示す説明図である。
【図１０】（ａ），（ｂ）はａ＊  ｂ＊  平面上の特定色域に属する色のインクについて最大ドロップ数を増やす前と増やした後の各色再現範囲を示す説明図である。
【図１１】図１０（ａ），（ｂ）の特定色域内の色相に関する明度別（濃度別）の色再現範囲を対応色のインクの最大ドロップ数の増加前後について示す説明図である。
【図１２】特定色域以外の色域に属する色のインクについても形式的に拡張パターンテーブルを用いてドロップ数への変換を行う場合の色再現範囲の見かけ上の拡張の様子を示す説明図である。
【図１３】図１のタッチパネルディスプレイに表示される色再現範囲の拡張の有無や色再現範囲を拡張する色域の入力指定画面を示す説明図である。
【図１４】図３の画像処理部がＣＭＹＫドットパターンデータからインクのドロップ数に変換する際の最大ドロップ数を記録紙の種類及び印刷時の解像度別に示す説明図である。
【図１５】図１の色変換装置の色変換処理部が図６のルックアップテーブルを用いて行うカラー画像データのカラーマッチング処理（画像処理）を示すフローチャートである。
【図１６】図３に示す本実施形態の印刷装置の画像処理部が図７のルックアップテーブルを用いて行う処理（印刷処理）を示すフローチャートである。
【発明を実施するための形態】
【００２６】
以下、本発明の実施形態について図面を参照しながら説明する。図１は、本発明によるカラー画像の印刷方法を適用した本発明の印刷処理装置の一実施形態に係る色変換装置１０と、色変換装置１０に接続された印刷装置２０の機能構成を示すブロック図である。なお、本実施形態では、印刷装置２０が、記録紙の搬送方向と直交する主走査方向においてカラー画像のドット列を１回の走査で印刷するライン型インクジェットプリンタであるものとする。また、本実施形態の印刷装置２０は、１つのドット（画素）に対するインク液滴の吐出数を増減して階調印刷を行うマルチドロップ方式のインクジェットプリンタであるものとする。
【００２７】
図１に示すように、色変換装置１０は、ＲＧＢ形式のドットイメージデータを入力するＲＧＢドットイメージ入力部１１０と、ＲＧＢ形式のイメージデータをＣＭＹＫ形式のイメージデータに変換する色変換処理部１２０と、印刷装置２０における印刷条件を取得する印刷条件取得部１３０と、ＣＭＹＫ形式のドットイメージデータを出力するＣＭＹＫドットイメージ出力部１４０とを備えている。
【００２８】
ＲＧＢドットイメージ入力部１１０は、例えば、各色８ビットで表されたＲＧＢドットイメージデータ、即ち、カラー画像データを、外部装置あるいは装置内の他機能部から入力する。色変換処理部１２０は、カラー画像データのＲＧＢ値を、印刷装置２０の色再現範囲に依存したＣＭＹＫのドットイメージデータに変換する。この変換を行うために、色変換処理部１２０はルックアップテーブル（ＬＵＴ）１２２と、それを記憶するためのメモリとを備えている。ルックアップテーブル１２２は、ＲＧＢの代表値とＣＭＹＫ値との対応関係が記録されたテーブルである。
【００２９】
印刷条件取得部１３０は、ユーザから設定された印刷条件を取得する。印刷条件には、例えば、カラー画像における色再現範囲の拡張の有無、色再現範囲を拡張する色域、印刷に用いる記録紙の種類等が含まれる。ただし、これらの中の一部であってもよい。印刷条件は、印刷条件取得部１３０がユーザから受け付けるようにしてもよいし、他の機能部がユーザから受け付けた印刷条件を印刷条件取得部１３０が取得するようにしてもよい。
【００３０】
ＣＭＹＫドットイメージ出力部１４０は、ＣＭＹＫ形式に変換されたドットイメージデータに対して中間調処理等を施して印刷装置２０に出力する。ここで、中間調処理は、例えば、各色８ビットで表されたＣＭＹＫドットイメージを、印刷装置２０で印刷可能な階調で表現するための処理である。また、ＣＭＹＫドットイメージ出力部１４０は、印刷条件取得部１３０が取得した印刷条件をＣＭＹＫドットイメージと共に印刷装置２０に出力する。
【００３１】
図１に示すように、印刷装置２０は、ＣＭＹＫ形式のドットイメージデータを入力するＣＭＹＫドットイメージ入力部２１０と、印刷機構２２０と、記録紙の給排紙動作を行う給排紙機構２３０と、各種表示及び設定入力を行うタッチパネルディスプレイ２４０とを備えている。
【００３２】
本実施形態において、印刷機構２２０は、用紙搬送方向（副走査方向）に直交する主走査方向に伸び、多数のノズルが形成されたインクジェットヘッドを複数本備え、それぞれのインクジェットヘッドから黒またはカラーインクを吐出して印刷を行うインクジェット方式を採用している。ただし、他の方式を採用するようにしてもよい。
【００３３】
図２は、図１の印刷装置２０の記録紙に対する印字（印刷）を行う部分の概略構成を示す平面図である。図１の給排紙機構２３０は、図２に示すように、記録紙４００をレジストローラ３７０と協働してヘッドユニット３１０に搬送する搬送ベルト３５２を有している。なお、図２中引用符号３８０は、記録紙４００の搬送方向（副走査方向）における位置を検出する用紙位置センサ、３９０は搬送ベルト３５２上の記録紙４００の位置を印字走査方向（主走査方向）において規制するガイドである。
【００３４】
本実施形態の印刷装置２０は、それぞれのインクジェットヘッドから黒またはカラーインクを吐出してライン単位で印刷を行うインクジェット方式のラインカラープリンタである。したがって、印刷装置２０は、印刷機構２２０として、用紙搬送方向に直交する方向に伸び、多数のノズルが形成された色別のインクジェットヘッド３１２を含むヘッドユニット３１０を備えている。このヘッドユニット３１０は、レジストローラ３７０よりもさらに搬送方向の下流側に設けられている。記録紙４００は、ヘッドユニット３１０の対向面に設けられた環状の搬送ベルト３５２によって印刷条件により定められる速度で搬送されながら、ヘッドユニット３１０の各インクジェットヘッド３１２に備えられたノズルから吐出されたインクによりライン単位で画像形成される。
【００３５】
インクジェットヘッド３１２は、ＣＭＹＫの色ごとに構成され、それぞれには、下面側に多数のノズルを配置したブロックが設けられている。図２では、６個のブロックで１つのインクジェットヘッド３１２を構成している。ノズルは、解像度を高めるために、所定数単位で斜めに配置され、１または複数の列が各ブロックに形成される。本実施形態では、記録紙４００の搬送方向における上流側から、Ｃ（シアン）、Ｋ（ブラック）、Ｍ（マゼンタ）、Ｙ（イエロー）の順に各色インクのインクジェットヘッド３１２が配置されている。
【００３６】
図３は、図１の印刷装置の電気的な詳細構成を示すブロック図である。図１に示す印刷装置２０の給排紙機構２３０は、図３に示すように、上述の用紙位置センサ３８０に加え、搬送路中の駆動ローラ等を含む搬送駆動部２３１を備えている。また、図１に示す印刷機構２２０は、搬送駆動部２３１を制御する搬送駆動制御部２２１、後述するマルチパス処理を制御するマルチパス制御部２２２、画像処理を行う画像処理部２２３、印刷実行部２２４を備えている。画像処理部２２３は、各印刷におけるインク吐出量にしたがった画像データを前記印刷機構２２０に供給する画像処理を行う。印刷実行部２２４は、上述のインクジェットヘッド３１２に加え、インクジェットヘッド３１２が備えるノズルからのインク吐出を制御するヘッドドライバ２２５を備えている。
【００３７】
本実施形態において、マルチパス制御部２２２は、再給紙の際に、用紙位置センサ３８０により検出される記録紙４００の搬送方向の位置に基づいて、搬送駆動部２３１による記録紙４００の搬送動作の制御を搬送駆動制御部２２１に実行させる処理を行う。
【００３８】
図１の色変換装置１０からのＣＭＹＫドットイメージデータをＣＭＹＫドットイメージ入力部２１０が受け取ると、画像処理部２２３が画像データに変換し、ヘッドドライバ２２５が画像データに基づいてインク吐出信号を生成し、インクジェットヘッド３１２でインク吐出が行われる。
【００３９】
そのために、本実施形態の画像処理部２２３は、ＣＭＹＫ形式のドットイメージデータ（階調データ）を、インク量のデータ、即ち、インクジェットヘッド３１２のノズルから吐出するインクのドロップ数を示す印刷用多値データに変換する。この変換を行うために画像処理部２２３は、ルックアップテーブル（ＬＵＴ）２２３ａと、それを記憶するためのメモリとを備えている。ルックアップテーブル２２３ａは、ＣＭＹＫ値と印刷用多値データの値（ドロップ数）との対応関係が記録されたテーブルである。
【００４０】
図１に示したような色変換装置１０と印刷装置２０とは、例えば、図４に示すようなシステム構成として具体的に実現することができる。図４（ａ）は、プリンタドライバ４１０を備えたＰＣ（パーソナルコンピュータ）４０と、インクジェット印刷機構５１０を備えたインクジェットプリンタ５０とでシステムを構成した例を示している。本システムではプリンタドライバ４１０が色変換部４１２を備えており、ＰＣ４０のアプリケーションが作成したＲＧＢ形式の画像データや、デジタルカメラ等から読み込んだ画像データ等をＰＣ４０側でドットイメージに展開し、さらにＣＭＹＫ形式に色変換処理を行ってインクジェットプリンタ５０に出力する。この場合、ＰＣ４０が色変換装置１０として機能し、インクジェットプリンタ５０が印刷装置２０として機能する。
【００４１】
図４（ｂ）は、画像読取装置６０と、プリンタドライバ７１０を備えたＰＣ７０と、ドットイメージ展開部８１０と色変換部８２０とインクジェット印刷機構８３０を備えたインクジェットプリンタ８０とでシステムを構成した例を示している。本システムでは、画像読取装置６０で読み取ったＲＧＢ形式の画像データを、インクジェットプリンタ８０の色変換部８２０が色変換を行ってインクジェット印刷機構８３０で印刷を行う。あるいは、ＰＣ７０のプリンタドライバ７１０が出力したページ記述言語を、インクジェットプリンタ８０のドットイメージ展開部８１０がドットイメージに展開し、色変換部８２０がＣＭＹＫ形式に色変換を行ってインクジェット印刷機構８３０で印刷を行う。この場合、インクジェットプリンタ８０が色変換装置１０および印刷装置２０として機能する。
【００４２】
なお、図示していないが、印刷装置２０に画像読取部を備えさせ、画像読取部で読み取ったカラー画像のデータに基づく印刷を行う構成でも、本発明は適用可能である。この場合には、印刷装置２０に色変換装置１０が内蔵され、画像読取部で読み取ったカラー画像のデータを印刷装置２０内の色変換装置１０で画像処理することになる。
【００４３】
ここで、本実施形態で扱う色空間の概要について図５を参照して説明する。本実施形態では、国際照明委員会（ＩＣＥ）で規格化されたＬ＊  ａ＊  ｂ＊  表色系を扱うものとする。Ｌ＊  ａ＊  ｂ＊  表色系では、明度をＬ＊  、色相と彩度を示す色度をａ＊  ｂ＊  で表す。
【００４４】
図５（ａ）に示すように、ａ＊  、ｂ＊  は、色の方向を示すものであり、＋ａ＊  は赤方向、−ａ＊  は緑方向、＋ｂ＊  は黄方向、−ｂ＊  は青方向を示す。即ち、ａ＊  ｂ＊  平面における角度が色相を表すことになる。また、中心から離れるに従って色鮮やかになり、中心になるに従ってくすんだ色になる。即ち、中心からの距離が彩度を示すことになり、中心部分は無彩色となる。
【００４５】
図５（ｂ）は、Ｌ＊  ａ＊  ｂ＊  表色系の色空間をＬ＊  軸方向も表示して、立体的に表したものである。この空間はカラー画像が表現可能な空間を示すものであり、一般に、印刷装置が実際に表現可能な色再現範囲はカラー画像データの色再現範囲よりも狭い。このため、カラー画像データを用いて印刷を行う場合には、印刷装置の色再現範囲に適応するように色空間を圧縮する色変換が行われる。
【００４６】
次に、図４（ａ），（ｂ）に示すＰＣ４０の色変換部４１２やインクジェットプリンタ８０の色変換部８２０で構成される、図１の色変換装置１０における色変換処理の概要について説明する。上述のように色変換装置１０では、色変換処理部１２０に設けたルックアップテーブル１２２を用いて、ＲＧＢ形式のドットイメージデータをＣＭＹＫ形式のドットイメージデータに変換する。
【００４７】
ここで、色変換処理部１２０のルックアップテーブル１２２はＲＧＢ色空間とＣＭＹＫ色空間との対応表であるが、その対応表を作成するにあたっては、まず、ＲＧＢ形式からＬ＊  ａ＊  ｂ＊  表色系への対応関係を設定する。一般に、印刷装置の色再現範囲はデジタルカメラやディスプレイ装置の色再現範囲より狭いため、Ｌ＊  ａ＊  ｂ＊  表色系において、色域を圧縮するための色変換の設定が行われる。次に、色変換後のＬ＊  ａ＊  ｂ＊  表色系からＣＭＹＫ形式への対応関係を設定することで、ＲＧＢ形式からＣＭＹＫ形式へのルックアップテーブルが作成される。
【００４８】
図６は、図１の色変換処理部１２０に設けたルックアップテーブル１２２の内容を示す説明図である。本実施形態のルックアップテーブル１２２は、図１のＲＧＢドットイメージ入力部１１０に入力されるカラー画像データをＲＧＢ表色系からＬ＊  ａ＊  ｂ＊  表色系に変換する際の対応関係を示すテーブル（図６（ａ）参照）と、Ｌ＊  ａ＊  ｂ＊  表色系から印刷装置２０に依存したＣＭＹＫ形式への対応関係を設定するテーブル（図６（ｂ）参照）とを含んでいる。
【００４９】
色変換処理部１２０は、ＲＧＢドットイメージ入力部１１０から入力されたＲＧＢドットイメージデータ（カラー画像データ）を、図６（ａ）に示すテーブルを用いて、ＲＧＢ表色系からＬ＊  ａ＊  ｂ＊  表色系に変換する。そして、変換後のカラー画像データについて、Ｌ＊  ａ＊  ｂ＊  の各値を、図６（ｂ）に示すテーブルを用いてＣＭＹＫ表色系の各値に変換する。変換したＣＭＹＫ表色系の各値は、ＣＭＹＫドットイメージデータとして図１のＣＭＹＫドットイメージ出力部１４０から印刷装置２０に出力する。
【００５０】
続いて、図４（ａ），（ｂ）に示すインクジェットプリンタ５０，８０のインクジェット印刷機構５１０，８３０で構成される、図１の印刷装置２０におけるデータ変換処理の概要について説明する。上述のように印刷装置２０では、図３の画像処理部２２３に設けたルックアップテーブル２２３ａを用いて、ＣＭＹＫドットイメージデータを印刷用多値データに変換する。
【００５１】
ここで、画像処理部２２３のルックアップテーブル２２３ａは、ＣＭＹＫ表色系によるカラー画像データ（ＣＭＹＫドットイメージデータ）と印刷用多値データとの対応表である。具体的には、ＣＭＹＫ表色系によるカラー画像データにおけるＣＭＹＫの各値と、これに対応する図２の各インクジェットヘッド３１２のノズルから吐出するＣＭＹＫの各インクのドロップ数との対応表である。
【００５２】
図７は、図３の画像処理部２２３に設けたルックアップテーブル２２３ａの内容を示す説明図である。本実施形態のルックアップテーブル２２３ａは、図３のＣＭＹＫドットイメージ入力部２１０に入力されるＣＭＹＫドットイメージデータをＣＭＹＫの各色別に印刷用多値データに変換する際の対応関係を示すテーブルである。各色のルックアップテーブル２２３ａは、色再現範囲を通常の範囲とする際に使用するデフォルトパターンテーブル（図７（ａ）参照）と、色再現範囲を拡張する際に使用する２種類の拡張パターンテーブル（図７（ｂ），（ｃ）参照）とを含んでいる。図７（ａ）〜（ｃ）のテーブルは、Ｃ（シアン）用、Ｍ（マゼンタ）用、Ｙ（イエロー）用、Ｋ（ブラック）用にそれぞれ用意されている。
【００５３】
図７（ａ）に示す通常の色再現範囲に対応するデフォルトパターンテーブルは、ＣＭＹＫドットイメージデータの値に対応付けるインクのドロップ数の最大値（最大吐出量）を５ドロップ（請求項中の基準値）としている。ドロップ数の最大値（＝５ドロップ）は、記録紙４００におけるインクの滲み量や用紙の変形量、印刷面から裏面までインクが染みこむ裏抜けの度合いを考慮して決定される。
【００５４】
図７（ｂ），（ｃ）に示す拡張パターンテーブルは、最大ドロップ数を５ドロップとする図７（ａ）のデフォルトパターンテーブルよりも最大ドロップ数を増やし、それぞれ６ドロップ（請求項中の上限値）、７ドロップ（請求項中の上限値）にしたテーブルである。したがって、拡張パターンテーブルを用いてＣＭＹＫドットイメージデータをドロップ数に変換すると、デフォルトパターンテーブルを用いて変換した場合のドロップ数以上のドロップ数が割り当てられる。これにより、拡張パターンテーブルを用いてドロップ数に変換した色が属する色域において画像の濃度が増し、その色域の色再現範囲が増える。
【００５５】
色再現範囲を拡張する特定色域として指定可能な範囲は、ＣＭＹＫ＝（ｘ１，ｙ１，ｚ１，α１）〜（ｘ１００，ｙ１００，ｚ１００，α１００）の値で表される範囲である。この範囲の各値は、各色（黄色、山吹色、・・・、赤、緑、深緑、・・・）に対応している。この範囲で、ＣＭＹＫの各最大値に対して、特定色域以外の色域では、図７（ａ）のデフォルトパターンテーブルに定義された５ドロップ（１００％）を割りあてる。また、特定色域では、図７（ｂ）の拡張パターンテーブルに定義された６ドロップ（１２０％）、又は、図７（ｃ）の拡張パターンテーブルに定義された７ドロップ（１４０％）を割りあてる。
【００５６】
また、例えば赤色（Ｃ，Ｍ，Ｙ，Ｋ）＝（０，５０，１００，０）を特定色域に指定した場合は、Ｍ＝５０とＹ＝１００のドロップ数への変換に、図７（ｂ）及び図７（ｃ）の拡張パターンテーブルのうちどちらか一方（Ｍ，Ｙ共に同じテーブル）を用いる。
【００５７】
図８は、記録紙４００への画像の印刷に用いる単位面積当たりのインク量に対する、印刷面上での画像の濃度（表濃度）、裏面上での裏抜けしたインクの濃度（裏抜け濃度）、用紙変形量（水性インク使用時、油性インク使用時）をそれぞれ示したグラフである。ここでは、記録紙４００が普通紙であり、インクが一次色のインク（プロセスカラーインク）であり、印刷時の解像度が３００ｄｐｉである場合について示している。
【００５８】
なお、図８のグラフの横軸は、各ドット（画素）を最大ドロップ数のインクで印刷した場合の単位面積当たりに使用したインク量のパーセンテージ値であり、最大ドロップ数＝５とした場合のインク量を１００％としている。また、図８のグラフの縦軸は、表濃度及び裏抜け濃度を表すＯＤ値と、用紙変形量を示すカール量である。
【００５９】
図９（ａ）〜（ｃ）は、図８のカール量で表される用紙変形の概念と油性水性のインク別の用紙変形の様子とを示す説明図である。インクを用いて印刷すると、図９（ａ）に示すように、インクの染み込みにより記録紙４００に用紙変形（反り＝カール）が生じる。記録紙４００のカール量は、油性インクでは図９（ｂ）に示すようにそれほどではないが、水性インクでは図９（ｃ）に示すように結構大きな量となる。
【００６０】
そこで、水性インクを用いた場合の記録紙４００の用紙変形量について見ると、図８に示すように、インク量にほぼ比例してカール量が増えることが分かる。一方、裏抜け濃度について見ると、インク量が１００％を超えるとインク量の増加に対する裏抜け濃度の増加の度合いが増すことが分かる。また、表濃度について見ると、インク量が１００％を超えると表濃度はほとんど増加しないことが分かる。このため、デフォルトパターンテーブルの最大ドロップ数は、上述した表濃度、裏抜け濃度、用紙変形量、カール量等が適切な範囲に収まるように決定する。
【００６１】
図７（ａ）に示す本実施形態のデフォルトパターンテーブルの最大ドロップ数である「５」は、図８のグラフに示した各値の前提とした、記録紙４００が普通紙で印刷時の解像度が３００ｄｐｉである場合の、インク量＝１００％に対応するドロップ数として決定している。したがって、記録紙４００の種類や印刷時の解像度が変われば、それに応じてデフォルトパターンテーブルの最大ドロップ数も変わる。
【００６２】
なお、通常の色再現範囲に対応する図７（ａ）のデフォルトパターンテーブルを用いてＣＭＹＫドットイメージデータの値から変換したドロップ数で画像を印刷すると、記録紙４００上での画像の表濃度（ＯＤ値）は、大体「１」となる。
【００６３】
一方、最大ドロップ数を「６」以上にすると、最大ドロップ数を「５」に増やすまでのようには表濃度が顕著に増加しないが、それでも、最大ドロップ数が「５」である場合に比べれば、表濃度が多少なりとも増加する。表濃度が増加すれば、そのインク色が属する色域において色再現範囲が拡張する。
【００６４】
例えば、図７（ａ）のデフォルトパターンテーブルを用いて変換したドロップ数で印刷した画像のある明度Ｌ＊  における色再現範囲が、図１０（ａ）の下半部に示すようなものであるとする。ここで、図７（ｂ），（ｃ）の拡張パターンテーブルを使用して、図１０（ａ）の上半部に示すａ＊  ｂ＊  平面上の扇形の色域（特定色域）に属する色（ここではＭ（マゼンタ）とする）のインクの濃度を増やすと、図１０（ｂ）の下半部に示すように、Ｒ（レッド）を含む色域の色再現範囲が拡張する。
【００６５】
図１１は、図１０（ａ），（ｂ）の上半部に示すａ＊  ｂ＊  平面上の扇形の色域（特定色域）の中央の色相に関する明度別（濃度別）の色再現範囲を、特定色域に対応する色のインクの最大ドロップ数の増加前後について示す説明図である。図１１に示すように、例えば明度Ｌ＊  ＝４０における目標色（ＲＧＢドットイメージデータの色）が、図１１中実線で示す、特定色域に属する色のインクの最大ドロップ数を増加する前の色再現範囲には含まれない色であるものとする。
【００６６】
ここで、特定色域に属する色のインクの最大ドロップ数を増やすと、特定色域における画像の表濃度が増加し、これにより、明度Ｌ＊  ＝４０における特定色域の色再現範囲が拡張して、図１１中破線で示すように、色再現範囲が目標色を含むようになる。
【００６７】
なお、特定色域の色再現範囲を拡張させるために、最大ドロップ数がデフォルトパターンテーブルよりも多い拡張パターンテーブルを用いてＣＭＹＫドットイメージデータの値から変換したドロップ数で画像を印刷すると、図８のグラフの横軸に示すインク量（％）の値が１００％よりも高くなる。すると、表濃度だけでなく裏抜け濃度や水性インクを用いた場合の用紙変形量も、相対的に増加する。
【００６８】
図８のグラフに示す例では、インク量が１５０％を超えると裏抜け濃度の増加率が高くなっている。そこで、拡張パターンテーブルの最大ドロップ数は、拡張パターンテーブルを用いて変換したドロップ数で画像を印刷した場合のインク量が１５０％以下となるようにするのが望ましい。
【００６９】
図７（ｃ）に示す本実施形態の拡張パターンテーブルの最大ドロップ数である「７」は、図８のグラフに示した各値の前提とした、記録紙４００が普通紙で印刷時の解像度が３００ｄｐｉである場合の、インク量＝１５０％に対応するドロップ数として決定している。また、図７（ｂ）に示す拡張パターンテーブルの最大ドロップ数である「６」は、図７（ｃ）の拡張パターンテーブルの最大ドロップ数よりも１つ少ないドロップ数としている。
【００７０】
上述したデフォルトパターンテーブルと拡張パターンテーブルとの使い分けにより、特定色域に属する色のインクの最大吐出量を増やして特定色域の色再現範囲を拡張する場合の考え方としては、次の２つがある。
【００７１】
１つ目は、特定色域に属する色のインクに限ってインクの最大吐出量を増やし、特定色域以外の色域に属する色のインクについては、最大吐出量を増やさないと言う考え方である。
【００７２】
この考え方を実行する際には、通常はデフォルトパターンテーブルを用いて行うＣＭＹＫドットイメージデータからドロップ数への変換を、拡張パターンテーブルを用いて行うように変更することで、インクの最大吐出量の増加を実現する。
【００７３】
この考え方は、図１０（ｂ）の下半部に示すように、特定色域だけ限定的に色再現範囲を拡張するイメージとなる。
【００７４】
２つ目は、色再現範囲を拡張する色域がある場合に、形式上は全ての色のインクについてインクの最大吐出量を増やすものの、ＣＭＹＫドットイメージデータからドロップ数への変換の際に、運用上では、色再現範囲を拡張したい特定色域を除くそれ以外の色域に属する色のインクに、５ドロップ以下のドロップ数しか割り当てないと言う考え方である。
【００７５】
この考え方を実行する際には、まず、全ての色のインクの最大吐出量を５ドロップから６又は７ドロップに増やす。そして、特定色域に属する色のインクについては、インクの最大吐出量を５ドロップ以下に限定しないので、最大７ドロップ（又は最大６ドロップ）までのドロップ数を割り当てるために、拡張パターンテーブルを用いてＣＭＹＫドットイメージデータからドロップ数に変換する。一方、特定色域以外の色域に属する色のインクについては、実際に割り当てるインクの最大吐出量を５ドロップ以下に制限するために、デフォルトパターンテーブルを用いてＣＭＹＫドットイメージデータからドロップ数に変換する。
【００７６】
この考え方は、形式上は全ての色のインクについてインクの最大吐出量を増やすので、見かけ上は、図１２の説明図に示すように、全ての色域について色再現範囲を一旦拡張するイメージとなる。但し、運用上は特定色域以外の色域に属する色のインクの最大吐出量を５ドロップ以下に制限するので、結果的には、図１０（ｂ）の下半部に示すように、特定色域だけ限定的に色再現範囲が拡張されることになる。
【００７７】
画像処理部２２３は、ＣＭＹＫドットイメージ入力部２１０から入力されたＣＭＹＫ表色系によるカラー画像データ（ＣＭＹＫドットイメージデータ）を、図７（ａ）〜（ｃ）のテーブルのうちいずれかをルックアップテーブル２２３ａとして用いて、ＣＭＹＫの各色別に、ヘッドユニット３１０の対応する色のインクジェットヘッド３１２のノズルから吐出するインクのドロップ数（印刷用多値データ）に変換する。
【００７８】
図７（ａ）〜（ｃ）のいずれのテーブルをルックアップテーブル２２３ａとして用いるかは、ＣＭＹＫの各色が、色再現範囲を拡張する特定色域に属する色であるか否かによって変わる。そこで、次に、色再現範囲を拡張する特定色域をタッチパネルディスプレイ２４０からの入力操作によって指定する場合について説明する。
【００７９】
図１３は、印刷装置２０のタッチパネルディスプレイ２４０に表示される色再現範囲の拡張の有無や色再現範囲を拡張する色域の入力指定画面を示す説明図である。本実施形態の入力指定画面２４１は、色再現範囲を拡張するか否かを、印刷モードの選択によって行うようにしている。そのために、タッチパネルディスプレイ２４０の入力指定画面２４１は、スピード優先モード、中間モード、彩度優先モードの３つのモード選択領域２４１ａ〜２４１ｃを有している。いずれかの領域２４１ａ〜２４１ｃをタッチ操作すると、対応するモードが選択される。
【００８０】
中間モードや彩度優先モードを選択すると、色再現範囲を拡張する特定色域の指定操作がさらに要求される。特定色域の指定操作は、入力指定画面２４１中の特定色域の指定領域２４１ｄのタッチ操作によって行う。特定色域の指定領域２４１ｄは、本実施形態では、Ｌ＊  平面上の濃度を指定する領域と、ａ＊  ｂ＊  平面上の色相を指定する領域とを有している。これらの領域を適宜タッチ操作することで、ＣＭＹＫ＝（ｘ１，ｙ１，ｚ１，α１）〜（ｘ１００，ｙ１００，ｚ１００，α１００）の範囲から特定色域が指定される。なお、特定色域の指定範囲なお、色再現範囲を拡張する特定色域を２つ以上指定できるようにしてもよい。
【００８１】
なお、特定色域を入力指定画面２４１のタッチ操作で指定するのではなく、中間モードや彩度優先モードにそれぞれ対応して予め定められた色域が、色再現範囲を拡張する特定色域とされるように構成してもよい。この場合は、特定色域の指定領域２４１ｄは不要となる。
【００８２】
上述した図１３の入力指定画面２４１のタッチ操作で、印刷モードとして中間モードか彩度優先モードを選択し、ＣＭＹＫ＝（ｘ９０，ｙ９０，ｚ９０，α９０）〜（ｘ１００，ｙ１００，ｚ１００，α１００）の範囲を特定色域として指定した場合は、画像処理部２２３は、変換の際に用いるルックアップテーブル２２３ａを、色域別に次のように使い分ける。
【００８３】
まず、ＣＭＹＫ＝（ｘ１，ｙ１，ｚ１，α１）〜（ｘ９０，ｙ９０，ｚ９０，α９０）の範囲（特定色域以外）では、図７（ａ）のデフォルトパターンテーブルをルックアップテーブル２２３ａとして用いる。一方、ＣＭＹＫ＝（ｘ９０，ｙ９０，ｚ９０，α９０）〜（ｘ１００，ｙ１００，ｚ１００，α１００）の範囲（特定色域）では、図７（ｂ）の拡張パターンテーブル（印刷モードが中間モードである場合）、又は、図７（ｃ）の拡張パターンテーブル（印刷モードが彩度優先モードである場合）を、ルックアップテーブル２２３ａとして用いる。
【００８４】
したがって、スピード優先モードを選択すると、図７（ａ）のデフォルトパターンテーブルを用いて、ＣＭＹＫの各ドットパターンデータがそれぞれの色のインクに関するドロップ数に変換される。一方、中間モードや彩度優先モードを選択すると、併せて指定した特定色域に属する色のドットパターンデータが、図７（ｂ）に示す拡張パターンテーブル（中間モード）や図７（ｃ）に示す拡張パターンテーブル（彩度優先モード）を用いて、対応する色のインクに関するドロップ数に変換される。また、指定した特定色域以外の色域に属する色のドットパターンデータが、図７（ａ）のデフォルトパターンテーブルを用いて、対応する色のインクに関するドロップ数に変換される。
【００８５】
なお、特定色域が、吐出量を増やしてもその色（一次色）の色再現範囲があまり拡張しない色のインクに大きく依存する色相である場合は、特定色域に属する色のインクのＣＭＹＫドットパターンデータをインクのドロップ数に変換する際に、特定色域に指定した色相に応じて最大ドロップ数を異ならせてもよい。
【００８６】
例えば、特定色域に属する色のインクにＹ（イエロー）のインクが含まれる場合、特定色域の色相がＹ（イエロー）かそれに近い色であれば、Ｙ（イエロー）のインクの最大吐出量を増やしても、特定色域の色再現範囲はそれほど大きく変わらない。それに比べて、特定色域の色相がＲ（レッド）やそれに近い色であると、Ｙ（イエロー）のインクの最大吐出量を増やすことで、特定色域の色再現範囲が大きく拡張する。そこで、特定色域の色相がＲ（レッド）かそれに近ければ、Ｙ（イエロー）の最大ドロップ数を７ドロップとし、Ｙ（イエロー）かそれに近ければ、Ｙ（イエロー）の最大ドロップ数を６ドロップとするようにしてもよい。
【００８７】
以上に説明したように、図３の印刷装置２０の画像処理部２２３は、図１３のタッチパネルディスプレイ２４０の入力指定画面２４１で選択されたモード（スピード優先モード、中間モード、彩度優先モード）と、中間モードや彩度優先モードに関する特定色域とを確認する。そして、そのモードや特定色域に基づいて、ＣＭＹＫドットイメージデータから印刷用多値データへの変換に用いるルックアップテーブル２２３ａ（図３参照）を、ＣＭＹＫの各色毎にそれぞれ決定する。
【００８８】
したがって、図３の画像処理部２２３が印刷実行部２２４のヘッドドライバ２２５に出力するカラー画像のプロファイルは、ＣＭＹＫの色毎に、ルックアップテーブル２２３ａとして図７（ａ）〜（ｃ）のいずれかのパターンテーブルをそれぞれ用いて変換した印刷用多値データの情報を含むものとなる。
【００８９】
このため、本実施形態の印刷装置２０で色再現範囲を拡張する特定色域は、Ｃ（シアン）、Ｍ（マゼンタ）、Ｙ（イエロー）の三原色である一次色に限らず、一次色どうしを減法混色した二次色や、二次色にさらに一次色を減法混色した三次色についても設定することができる。
【００９０】
なお、図３の画像処理部２２３は、図１３のタッチパネルディスプレイ２４０の入力指定画面２４１で中間モードや彩度優先モードを選択し、色再現範囲を拡張する特定色域の指定した場合に、印刷条件取得部１３０（図１参照）が取得する印刷条件を考慮に入れて、ルックアップテーブル２２３ａとして図７（ａ）〜（ｃ）のどのパターンテーブルを用いるかを決定するようにしてもよい。
【００９１】
例えば、印刷条件取得部１３０（図１参照）が取得する印刷条件中の、記録紙４００の種類に応じて、ＣＭＹＫドットパターンデータからインクのドロップ数に変換する際の最大ドロップ数を異ならせてもよい。
【００９２】
つまり、普通紙とマット紙とでは普通紙の方がドットゲインが大きく、マット紙とインクジェット用ハガキ（ＩＪハガキ）とではマット紙の方がドットゲインが大きい。ドットゲインが大きいと、ドットゲインが小さい場合に比べて、最大ドロップ数を増やしてもドット径の増加が少ないので色再現範囲の拡張効果が少ない。そこで、例えば、図１４の説明図に示すように、インクジェット用ハガキ（ＩＪハガキ）、マット紙、普通紙とドットゲインが大きい種類の記録紙４００になるほど、最大ドロップ数を低くすることもできる。
【００９３】
また、図３の画像処理部２２３は、印刷条件取得部１３０（図１参照）が取得する印刷条件中の、カラー画像の印刷時の解像度に応じて、ＣＭＹＫドットパターンデータからインクのドロップ数に変換する際の最大ドロップ数を異ならせてもよい。
【００９４】
つまり、カラー画像を印刷する際の解像度が高いと、解像度が低い場合に比べて、ドット間隔が短いので最大ドロップ数を増やしても濃度変化が少なく、色再現範囲の拡張効果が少ない。そこで、例えば、図１４の説明図に示すように、解像度が低い場合よりも高い場合に最大ドロップ数を低めにすることもできる。
【００９５】
なお、図１４の説明図のパターンでは、記録紙４００が普通紙で印刷時の解像度が６００ｄｐｉである場合は、最大ドロップ数を４ドロップとしている。そこで、図７（ａ）〜（ｃ）のパターンテーブルとは異なる、最大ドロップ数を４ドロップとするパターンテーブルを別途用意してもよく、例えば、図７（ａ）のデフォルトパターンテーブルを用いて変換したドロップ数が５ドロップとなった場合に、一律に４ドロップに下げる等して対応してもよい。
【００９６】
また、本実施形態の印刷装置２０とは異なり、記録紙４００の搬送方向（副走査方向）における１行分のドット列の印刷を複数回の主走査方向への走査で行うマルチパス方式のインクジェットプリンタを、カラー画像の印刷に用いる場合は、１行分のドット列を印刷する際の印刷走査回数も、印刷条件として考慮することができる。
【００９７】
例えば、印刷走査回数が多いと、少ない場合よりも１つのドットに対してインクを吐出する回数が増える。その吐出のたびに、最大ドロップ数の増加により吐出するインクのドロップ数が相対的に増えると、それに伴う印刷時間の増加を印刷走査回数分積算した累積増加時間が大きくなり、印刷の所要時間の長時間化を招く。
【００９８】
そこで、印刷走査回数が多い場合は、少ない場合に比べて相対的に、特定色域以外の色域に属する色のインクの最大ドロップ数の増加幅を小さく抑えるようにしてもよい。
【００９９】
ちなみに、特定色域に属する色の色再現範囲を一律に拡張したい場合もあれば、一部の色相については色再現範囲を拡張したくない場合もあり得る。具体的には、Ｒ（レッド）の色相について色再現範囲を拡張したいものの、そうすると、肌色についても連鎖的に色再現範囲が拡張されて、肌色の色味が意図せず変わってしまうケース等が考えられる。
【０１００】
一般に記憶色である肌色は、わずかな色味の変化でも見た目の印象が大きく変わってしまう。そこで、色再現範囲を拡張する特定色域に肌色が含まれている場合には、例外的に、肌色を色再現範囲の拡張対象から除外することが望ましい。
【０１０１】
そこで、図３の画像処理部２２３は、例えば、肌色のような色域を所定の色域として予め定義しておき、所定の色域が特定色域中に含まれる場合は、特定色域のうち所定の色域を除いた色域のＣＭＹＫドットイメージに限り、図７（ｂ），（ｃ）の拡張パターンテーブルをルックアップテーブル２２３ａとして用いてドロップ数に変換するようにしてもよい。
【０１０２】
次に、図１に示す本実施形態の色変換装置１０の色変換処理部１２０が図６のルックアップテーブル１２２を用いて行うカラー画像データのカラーマッチング処理（画像処理）について、図１５のフローチャートを参照して説明する。
【０１０３】
まず、色変換処理部１２０は、ＲＧＢドットイメージ入力部１１０から入力されたＲＧＢドットイメージデータ（カラー画像データ）を、図６（ａ）に示すテーブルを用いて、ＲＧＢ表色系における各値からＬ＊  ａ＊  ｂ＊  表色系における各値に変換する（ステップＳ１０１）。
【０１０４】
そして、色変換処理部１２０は、変換したＲＧＢドットイメージデータ（カラー画像データ）を、図６（ｂ）に示すように、Ｌ＊  ａ＊  ｂ＊  表色系における各値からＣＭＹＫ表色系における各値に変換する（ステップＳ１０３）。
【０１０５】
続いて、色変換処理部１２０は、変換したＣＭＹＫ表色系によるカラー画像データ（ＣＭＹＫドットイメージデータ）を、印刷条件取得部１３０が取得した印刷条件と共に、ＣＭＹＫドットイメージ出力部１４０から印刷装置２０のＣＭＹＫドットイメージ入力部２１０に出力する（ステップＳ１０５）。その後、色変換処理部１２０は、一連の処理を終了する。
【０１０６】
次に、図３に示す本実施形態の印刷装置２０の画像処理部２２３がルックアップテーブル２２３ａを用いて行う処理（印刷処理）について、図１６のフローチャートを参照して説明する。
【０１０７】
まず、画像処理部２２３は、ＣＭＹＫドットイメージ入力部２１０から入力されたＣＭＹＫドットイメージデータ（カラー画像データ）が入力されたか否かを確認する（ステップＳ２０１）。入力された場合は（ステップＳ２０１でＹＥＳ）、図１３のタッチパネルディスプレイ２４０の入力指定画面２４１で選択されたモードや指定された特定色域に基づいて、ＣＭＹＫドットイメージデータから印刷用多値データ（ドロップ数）に変換する際にルックアップテーブル２２３ａとして用いるテーブルを、インク色別に決定する（ステップＳ２０３）。
【０１０８】
ここで、指定された特定色域が肌色の色域（所定の色域）を含む場合は、画像処理部２２３は、肌色の色域の変換には図７（ｃ）の拡張パターンテーブル（最大ドロップ数＝７）でなく、図７（ａ）のデフォルトパターンテーブル（最大ドロップ数＝５）を用いると決定する。
【０１０９】
なお、指定された特定色域に属する色のインクに、吐出量を増やしてもその色（一次色）の色再現範囲があまり拡張しない色のインクが含まれる場合に、画像処理部２２３は、特定色域の色相に基づいて、その色のＣＭＹＫドットイメージデータをドロップ数に変換するのに、図７（ｂ）の拡張パターンテーブル（最大ドロップ数＝６）と図７（ｃ）の拡張パターンテーブル（最大ドロップ数＝７）のどちらを用いるかを決定するようにしてもよい。
【０１１０】
例えば、特定色域に属する色のインクにＹ（イエロー）のインクが含まれる場合に、画像処理部２２３は、特定色域の色相がＲ（レッド）かそれに近ければ、図７（ｃ）の拡張パターンテーブル（最大ドロップ数＝７）を変換に用い、特定色域の色相がＹ（イエロー）かそれに近ければ、図７（ｂ）の拡張パターンテーブル（最大ドロップ数＝６）を用いると決定するようにしてもよい。
【０１１１】
次に、画像処理部２２３は、ステップＳ２０３でインク色別に決定した、ルックアップテーブル２２３ａとして用いるテーブルを、ＣＭＹＫドットイメージデータと共にＣＭＹＫドットイメージ入力部２１０から入力された印刷条件（記録紙４００の種類、解像度）に基づいて、必要な場合は変更する（ステップＳ２０５）。
【０１１２】
例えば、印刷条件中に、印刷時の解像度が３００ｄｐｉで記録紙４００が普通紙であるとの条件が含まれている場合は、特定色域に属する色の変換に使用するテーブルとしてステップＳ２０３で決定した図７（ｂ），（ｃ）の拡張パターンテーブル（最大ドロップ数＝６，７）を、図７（ａ）のデフォルトパターンテーブル（最大ドロップ数＝５）に変更する。
【０１１３】
続いて、画像処理部２２３は、ステップＳ２０３で決定し、必要に応じてステップＳ２０５で変更したテーブルをルックアップテーブル２２３ａとして用いて、ＣＭＹＫドットイメージ入力部２１０から入力されたＣＭＹＫドットイメージデータ（カラー画像データ）を、各インク色毎にドロップ数に変換する（ステップＳ２０７）。
【０１１４】
さらに、画像処理部２２３は、変換したドロップ数を印刷実行部２２４のヘッドドライバ２２５に出力する（ステップＳ２０９）。その後、画像処理部２２３は、一連の処理を終了する。
【０１１５】
このように、本実施形態によれば、タッチパネルディスプレイ２４０の入力指定画面２４１から色再現範囲を拡張する特定色域の指定操作が行われると、原則的に、指定された特定色域に属する色のインクのＣＭＹＫドットパターンデータからインクのドロップ数に変換する際の最大ドロップ数が、通常のドロップ数（５ドロップ）よりも増加される（７ドロップ）。つまり、カラー画像を構成する各ドットに吐出されるインクの最大ドロップ数（カラー画像の印刷に用いるインクの単位面積当たりの最大吐出量）が、特定色域ではそれ以外の色域よりも多くなる。
【０１１６】
すると、特定色域においてはそれ以外の色域よりも、印刷したカラー画像における色の濃さが（明度は同じまま）増して色再現範囲が拡張する。よって、特定色域を適切に設定することで、カラー画像を印刷する際の色再現範囲を任意の色相について拡張させることができる。
【０１１７】
また、本実施形態によれば、特定色域に肌色等の所定の色域が含まれていると、画像処理部２２３は、特定色域中の所定の色域を除く色域についてのみ、その色域に属する色について、図７（ｂ），（ｃ）の拡張パターンテーブル（最大ドロップ数＝６，７）を用いてドロップ数に変換する。
【０１１８】
したがって、特定色域の色再現範囲を拡張するためのインクの最大吐出量の増加に連動して、特定色域に含まれる一部の色再現範囲を拡張する必要のない色域のインクの最大吐出量まで増加されてしまうのを、防ぐことができる。よって、例えば赤の色域の色再現範囲を拡張したい場合に、自然色に再現されていた肌色の色味が連動して自然色とは異なる色にシフトしてしまうのを防ぐことができる。
【０１１９】
さらに、本実施形態によれば、カラー画像の印刷時における解像度や記録紙４００の種類に基づいて、あるいは、特定色域に属するインクの色に応じて、特定色域やそれ以外の色域のＣＭＹＫドットパターンデータからインクのドロップ数に変換する際にルックアップテーブル２２３ａとして用いるテーブルを変更（補正）するようにした。
【０１２０】
このため、印刷時における解像度や記録紙４００の種類（ドットゲイン）、あるいは、特定色域に属するインクの色によって、最大ドロップ数を増加させた場合の色再現範囲の拡張効果に違いがある場合に、それぞれの特性に応じた適切な最大ドロップ数を割り当てて、用紙におけるインクの滲み量や用紙の変形量、インクの裏抜けの度合いを適切な範囲に収めつつ、特定色域の色再現範囲を拡張させることができる。
【０１２１】
また、本実施形態によれば、カラー画像の印刷時における画質と印刷速度との優先度を、タッチパネルディスプレイ２４０の入力指定画面２４１において印刷モードとして指定して、指定した印刷モードに応じたテーブルをルックアップテーブル２２３ａとして用いて、ＣＭＹＫドットパターンデータからインクのドロップ数に変換するようにした。
【０１２２】
このため、同一の画素（ドット）に吐出するインクのドロップ数の最大値（最大ドロップ数）を増やして色再現範囲の拡張を図るのに当たり、最大ドロップ数の増加による色再現範囲の拡張と、それに相反して低下する印刷速度とのどちらを優先するかを、適切に選択、設定することができる。
【０１２３】
なお、本実施形態では、色変換装置１０において、ＲＧＢ表色系からＬ＊  ａ＊  ｂ＊  表色系に色空間を変換する場合について説明したが、Ｌ＊  ａ＊  ｂ＊  表色系に代えて、印刷装置２０に依存しない他の色空間からＣＭＹＫ表色系に色空間を変換するようにしてもよい。
【符号の説明】
【０１２４】
１０  色変換装置
２０  印刷装置
４０  パーソナルコンピュータ
５０  インクジェットプリンタ
６０  画像読取装置
７０  パーソナルコンピュータ
８０  インクジェットプリンタ
１１０  ＲＧＢドットイメージ入力部
１２０  色変換処理部
１２２  ルックアップテーブル
１３０  印刷条件取得部
１４０  ＣＭＹＫドットイメージ出力部
２１０  ＣＭＹＫドットイメージ入力部
２２０  印刷機構
２２１  搬送駆動制御部
２２２  マルチパス制御部
２２３  画像処理部
２２３ａ  ルックアップテーブル
２２４  印刷実行部
２２５  ヘッドドライバ
２３０  給排紙機構
２３１  搬送駆動部
２４０  タッチパネルディスプレイ
２４１  入力指定画面
２４１ａ〜２４１ｃ  モード選択領域
２４１ｄ  指定領域
３１０  ヘッドユニット
３１２  インクジェットヘッド
３５２  搬送ベルト
３７０  レジストローラ
３８０  用紙位置センサ
４００  記録紙
４１０  プリンタドライバ
４１２  色変換部
５１０  インクジェット印刷機構
７１０  プリンタドライバ
８１０  ドットイメージ展開部
８２０  色変換部
８３０  インクジェット印刷機構
【図１】
0005723677.tif 000002
【図２】
0005723677.tif 000003
【図３】
0005723677.tif 000004
【図４】
0005723677.tif 000005
【図５】
0005723677.tif 000006
【図６】
0005723677.tif 000007
【図７】
0005723677.tif 000008
【図８】
0005723677.tif 000009
【図９】
0005723677.tif 000010
【図１０】
0005723677.tif 000011
【図１１】
0005723677.tif 000012
【図１２】
0005723677.tif 000013
【図１３】
0005723677.tif 000014
【図１４】
0005723677.tif 000015
【図１５】
0005723677.tif 000016
【図１６】
0005723677.tif 000017